Podtech/llm-jp-corpus-v4-ja_patent huggingface dataset:
(57)【要約】【課題】油圧ショベル等の建設機械において、機体外周を覆う外板５、６、７をボルト１１を用いて着脱自在に機体側に締結する場合において、硬いボルト頭１１ａが外から見えないと共に外板から突出しないようにする。【解決手段】外板５に開口５ｃを穿設する一方、該開口５ｃの裏面に断面ハット型のブラケット１０ａを止着して凹陥部１０を形成し、該凹陥部の底面１０ｃを機体側支持部１２に当接する状態でボルト締結した後、開口５ｃをタブ１３ｂのある蓋体１３で覆蓋した。【選択図】　　　　図２
2004044121.tif 000002
【特許請求の範囲】
【請求項１】
建設機械の外側を覆うための外板を配設し、該外板をボルトを介して機体側支持部に締結固定するにあたり、外板に有底状の凹陥部を形成し、該凹陥部の底面を機体側支持部に当接する状態でボルト緊締すると共に、凹陥部の表側開口を、係脱自在な蓋体を介して覆蓋したことを特徴とする建設機械における外板締結構造。
【請求項２】
請求項１において、蓋体には、該蓋体を取り外すときに摘持するためのタブが突出形成されていることを特徴とする建設機械における外板締結構造。
【請求項３】
請求項１または２において、蓋体には、凹陥部の表側開口に無理嵌め状に嵌合係止する係止溝が形成されていることを特徴とする建設機械における外板締結構造。
【発明の詳細な説明】
【０００１】
【発明の属する技術分野】
本発明は、油圧ショベル等の建設機械における外板締結構造の技術分野に属するものである。
【０００２】
【従来技術】
一般に、油圧ショベル等の建設機械は、外板で外側を覆って構成されるが、これら外板は、メンテナンス等のため必要において取り外すことができようになっている。そのため図４に示すように、外板２０は、ボルト２１を用いた締結により機体側支持部２２に着脱自在に取り付けられる。
【０００３】
【発明が解決しようとする課題】
ところが、前記従来のものは、ボルト頭２１ａが外板２０から突出する構造となっていたので、外部からそのまま目視され、特に側面においてボルト頭２１ａが突出していると、外観を損なうという問題がある。また、建設機械はメンテナンス等のため外板上面を移動のためのステップとして採用することがあり、このような場合においてボルト頭が突出していると、該突出するボルト頭に足が引っかかる惧れがあり、これらに本発明の解決すべき課題がある。
【０００４】
【課題を解決するための手段】
本発明は、上記の如き実情に鑑みこれらの課題を解決することを目的として創作されたものであって、建設機械の外側を覆うための外板を配設し、該外板をボルトを介して機体側支持部に締結固定するにあたり、外板に有底状の凹陥部を形成し、該凹陥部の底面を機体側支持部に当接する状態でボルト緊締すると共に、凹陥部の表側開口を、係脱自在な蓋体を介して覆蓋したことを特徴とする建設機械における外板締結構造である。そしてこのようにすることで、ボルト締結部位でのボルト頭の突出を無くすことができると共に、凹陥部の表側開口も覆蓋された状態となって外観性を向上することになり、またステップ面において足が引っかかってしまうようなことも回避できる。
このものにおいて、蓋体には、該蓋体を取り外すときに摘持するためのタブが突出形成されていることを特徴とすることができ、このようにすることで、凹陥部の表側開口を塞ぐ蓋体の取り外し操作が容易になるという利点がある。
さらにこれらにおいて、蓋体には、凹陥部の表側開口に無理嵌め状に嵌合係止する係止溝が形成されていることを特徴とすることができ、このようにすることで、蓋体が機体振動等で不用意に外れてしまうことを防止することができる。
【０００５】
【発明の実施の形態】
次に、本発明の実施の形態について、図面に基づいて説明する。図中、１は油圧ショベルの下部走行体であって、該下部走行体１には上部旋回体２が旋回自在に設けられている。上部旋回体２には、作業アタッチメントとしてバケット３が設けられ、また上部旋回体２の前部左側に運転操縦席を内装するキャブ４が、機体右側には各種タンク類等を覆う右側外板５が、キャブ４の後方中央部および後方左側にはラジエータ等を覆う中央側、左側外板６、７が設けられ、さらに中央側外板６の後方にエンジンカバー８が、その後方にカウンターウエイト９が設けられているが、これらの配設構造は何れも従来通りである。
【０００６】
前記外板５、６、７は何れも同じボルト締結構造で機体側に支持されているので、以降、右側外板５のボルト締結構造について説明する。前記外板５には、天板部５ａ、側板部５ｂがあり、これら板部５ａ、５ｂの適宜位置に円弧状の開口５ｃが穿設されると共に、該開口５ｃの裏面に断面（側面視）ハット型をしたブラケット１０ａの両脚片１０ｂが固着されることで、有底状の凹陥部１０が形成されているが、さらに凹陥部底面１０ｃにはボルト１１が遊嵌状に貫通するボルト孔１０ｄが穿設されている。そして凹陥部底面１０ｃを機体側支持部１２に当接する状態でボルト１１を用いて締結した後、開口５ｃを蓋体１３を用いて覆蓋することになるが、該蓋体１３は、可撓性を有するもので形成された円板形状をし、その外周縁に開口５ｃの内周縁部が嵌合係止する係止溝１３ａが形成されていて、開口５ｃに無理嵌め状に止着されることになるが、さらに外周上縁には、蓋体１３を開口５ｃから取り外す場合に摘持されるタブ１３ｂが形成されている。
【０００７】
叙述の如く構成されたものにおいて、外板５はボルト１１を用いて着脱自在に締結されることになるが、その場合に外板５は、凹陥部底面１０ｃを機体側支持部１２に当接する状態でボルト１１を用いて締結した後、蓋体１３を開口５ｃに止着すればよく、これによってボルト頭１１ａは凹陥部１０に内嵌した状態となって外側から目視されることがなく、しかも硬いボルト頭１１ａが外板５から突出することもないので、天板部５ａをステップ面とした場合に、ボルト頭１１ａに足が引っかかってしまうことも回避できることになる。しかもメンテナンス等で外板５を着脱したい場合に蓋体１３を取り外す必要があるが、その場合、タブ１３ｂを摘持して引張ることで蓋体１３を簡単に外すことができ、都合がよい。さらに蓋体１３は、係止溝１３ａに開口５ｃを無理嵌め状に嵌合係止する構成のため、機体振動等で簡単に脱落してしまうことが防止されたものとなる。
【０００８】
尚、本発明は前記実施の形態に限定されないものであることは勿論であって、例えば図３に示す第二の実施の形態のように、タブ１３ｃを蓋体の表面中心部に形成することもできる。また、凹陥部はブラケットを別部材として用いることなく、外板を絞り加工する等して形成しても良いことは言うまでもない。
【図面の簡単な説明】
【図１】油圧ショベルの概略斜視図である。
【図２】（Ａ）は外板締結部の平面図、（Ｂ）はその縦断面図である。
【図３】（Ａ）は第二の実施の形態の外板締結部の平面図、（Ｂ）はその縦断面図である。
【図４】（Ａ）は従来の外板締結部の平面図、（Ｂ）はその縦断面図である。
【符号の説明】
２　　上部旋回体
５　　外板
５ｃ　開口
１０　　凹陥部
１０ａ　ブラケット
１０ｃ　底面部
１１　　ボルト
１２　　機体側支持部
【図１】
2004044121.tif 000003
【図２】
2004044121.tif 000004
【図３】
2004044121.tif 000005
【図４】
2004044121.tif 000006
(57)【要約】【課題】従来のワイヤー錠とかチエン錠は、一般に形状がおおむね似通っていて、単純な形状になりがちであった。そのため、錠前だけを見ると彼此の見分けが付けにくいという問題があって、その錠前が自己の所有であることを一目で分かるようにすることが望まれるようになった。【構成】本錠前は、動物または植物の模型２の中に、チエンまたはワイヤーで構成されるフレキシブル杆１を挿通し、このフレキシブル杆１を上記模型２と共に環状に曲げて、該フレキシブル杆１の一方の端部に備えた施錠杆３を、他方の端部に備えた錠本体４の施錠部７に挿入してロックさせるように構成したことを特徴とする錠前である。【選択図】　　　図１
2004044154.tif 000002
【特許請求の範囲】
【請求項１】
動物または植物の模型の中にフレキシブル杆を挿通し、このフレキシブル杆を上記模型と共に環状に曲げて、該フレキシブル杆の一方の端部に備えた施錠杆を、他方の端部に備えた錠本体の施錠部に差し込んでロックさせるように構成したことを特徴とする錠前。
【発明の詳細な説明】
【０００１】
【産業上の利用分野】
本発明は、ワイヤー錠とかチエン錠などのように、一方の端部に施錠杆を備え、他方の端部に錠本体を備えたフレキシブル杆を有する錠前に関し、動物とか植物の模型の中にフレキシブル杆を挿通し、環状に曲げた両端で、施錠杆と錠本体をロックするようにしたことを特長とするものである。
【０００２】
【従来の技術】
ワイヤー錠とかチエン錠のように中間をワイヤーとかチエンで構成した錠前には、例えば本出願人の先願に、意匠登録第１１０１８９５号公報、９８０４９８号公報、特開平１０−１０２８７２号公報、特開２００２−４７８４６号公報がある。
【０００３】
【発明が解決しようとする課題】
従来のワイヤー錠とかチエン錠は、ワイヤーとかチエンで構成したフレキシブル杆の一方の端に、例えば錠本体を備え、他端に施錠杆を備え、フレキシブル杆に透明または着色したシースを被覆していた。
そのため、形状がおおむね似通って持ち主の個性が主張し難く、単純な形状になりがちになるという欠点があった。
このようなことから、本発明が解決しようとする課題は、従来のこの種の錠前にない外観を具えてて、人目を惹き、需要者の購入意欲を増すようにすることにある。
【０００４】
【課題を解決するための手段】
そこで本発明は、動物または植物の模型の中にフレキシブル杆を挿通し、このフレキシブル杆を上記模型と共に環状に曲げて、該フレキシブル杆の一方の端部に備えた施錠杆を、他方の端部に備えた錠本体の施錠部に差し込んでロックさせるように構成したことを特徴とする錠前を提供するものである。
【０００５】
上記のように構成した本発明錠前は、錠前機能には変りがないが、外形が動物または植物の模型で形成されているので、従来のワイヤー錠、チエン錠にない画期的な外観を呈したものになる。したがって、本発明の目的である人目を惹くことができ、需要者には新しい外観を具えたこの錠前を購入しようとする意欲を抱かせることができる。
本発明は以上のようにして前記の課題を解決したものである。
【０００６】
さらに本発明に係る錠前は、施錠状態にあっても、通常錠本体が位置する部分に、例えば動物の頭とか尻尾をもってくるとか、あるいは植物の花と根元の部分をもってくるという独特の形状を呈するので、錠前の使用者には特別の専有感を抱かせる一方で、不法に開錠しようとする他人に対しては、その独特の形状を目にして思いがけない衝撃を与え、不法な行為を躊躇させることも考えられるので、盗難防止につながるという実使用上の利点も期待できる。
【０００７】
【実施例】
以下に本発明の実施例を図面について説明する。
図面に示す実施例は、本発明の錠前に用いる模型２として、動物の模型、詳しくはダックスフント種の犬のぬいぐるみを用いた場合のものである。
【０００８】
図１において、１は、シースを被せたワイヤーで形成したフレキシブル杆、２は、このフレキシブル杆１を口から尾にかけて挿通した動物の模型、３は、フレキシブル杆１の一端（図示右端）に備えた擬宝珠型の施錠杆、４は、フレキシブル杆１の他端（図示左端）に備えた錠本体、５はそのキーである。
【０００９】
この実施例に用いた錠本体３、フレキシブル杆１、施錠杆３およびキー５は、従来公知のワイヤー錠をそのまま使用している。
この実施例において、錠本体３は、動物の模型２の口に当る部分に位置させ、模型３の体内に挿通させたフレキシブル杆１は、一端の施錠杆３を模型２の後端に施錠操作を可能にして臨出させるようにしている。
【００１０】
図２に示すように、この錠前は、施錠すべき物体６を中にして、動物の模型２と共に、フレキシブル杆１を環状に曲げ、模型２の喉に当る開口部８から施錠杆３を挿入し、錠本体４の側面に具えられている施錠部７に差し込むことによって図示のロック状態になる。
なお、錠本体４は、施錠状態においてキー５が携行可能に抜き出せるようになり、開錠は、錠本体４の端面の鍵穴に差し込んだキー５の回転操作により行われる。
【００１１】
本発明に使用する模型は、犬とかぬいぐるみに限らず、例えばねこ、へび、わになどのように、比較的に体長の長いものが好適するが、模型を何にするか、どのようにして模型内に錠前を装着するかなどは、本発明の要旨に沿って適宜に選択できる。
また、フレキシブル杆１の長さ、施錠杆３および錠本体４の形態は図示の態様に限定されない。
また、本発明に使用する模型は、前記のように動物に限らず、花と葉と茎のような適宜に長い連続した植物の模型を用いる場合もある。
【００１２】
【発明の効果】
前記のように構成し、上記のように用いられるようにした本発明錠前は、従来のワイヤー錠、チエン錠にない画期的な独特の形状を具える。したがって、形状の面白さから人目を惹き、需要者の購入意欲を刺激することが期待できる。
一方で本発明錠前は、前述のように施錠位置に模型ではあっても動物の頭部などを位置させるような使い方ができるので、不法に開錠しようとする他人に対しては、思いがけない場所で出会うその形態から不法な開錠操作を躊躇させるような盗難防止効果も期待できるなど、きわめて有用である。
【図面の簡単な説明】
【図１】図１は、実施例の構造を略示する説明図
【図２】図２は、実施例の施錠状態を示す説明図である。
【符号の説明】
１　フレキシブル杆
２　模型
３　施錠杆
４　錠本体
５　キー
６　施錠すべき物体
７　施錠部
８　開口部
【図１】
2004044154.tif 000003
【図２】
2004044154.tif 000004
(57)【要約】【課題】温度変化により部材が変形することのない異種材料部材の締着構造を提供する。【解決手段】異種材料部材１、２を複数箇所で締着する締着構造において、締着面の一方の部材１に突起１ａ、１ａを設け他方の部材２に凹みを設け前記突起１ａ、１ａと凹みを嵌合させる。【選択図】　　　　図１
2004044624.tif 000002
【特許請求の範囲】
【請求項１】
異種材料部材を複数箇所で締着する締着構造において、締着面の一方の部材に突起を設け他方の部材に凹みを設け前記突起と凹みを嵌合させることを特徴とする異種材料部材の締着構造。
【請求項２】
異種材料部材を複数箇所で締着する締着構造において、締着面に摩擦係数の大きいシートを挟み込むことを特徴とする異種材料部材の締着構造。
【請求項３】
前記シートに両面テープが張り付けられている請求項２の異種材料部材の締着構造。
【発明の詳細な説明】
【０００１】
【発明の属する技術分野】
この発明は異種材料部材の締着構造に係わり、特に、異種材料部材を複数箇所で締着する締着構造に関する。
【０００２】
【従来の技術】
従来、音響機器等において樹脂部材と金属板とを複数のねじで締着する構造が多用されている。そのような締着構造の例を図３に示す。図３（ａ）は樹脂部品２を金属板１に組み付けた直後の状態を示している。図に示すように、樹脂部品２の穴２ａ、２ａを挿通したねじ３、３が金属板１にねじ込まれ樹脂部品２が金属板１に締着されている。
【０００３】
この状態では樹脂部品２は自然状態であり、平板状態に保たれている。しかしながら、樹脂部品例えばＰＳ（ポリスチレン）の熱膨張係数は６〜８×１０−５／℃程度であり、鉄の熱膨張係数は１．２×１０−５／℃程度であり、熱膨張係数はポリスチレンは鉄よりも最大で６．７倍も大きい。
【０００４】
そのため、組み付けた状態から温度が下がると、図３（ｂ）に示すように樹脂部品２は金属板１よりも大きく収縮する。このとき摩擦力の差により樹脂部品２の一方の締着部が矢印Ｂに示す方向に金属板１に対して距離Ｓだけずれる。
【０００５】
その後環境の温度が高くなると、樹脂部品２が金属板１よりも大きく膨脹するが、このとき樹脂部品２は容易に変形するため、締着部の摩擦力に押えられて座屈を起こし、図３（ｃ）に示すように、中央部が矢印Ｃに示す方向に盛り上がる。このように低温・高温と温度変化することにより金属板に締着された樹脂部品が変形するという不具合が生じていた。
【０００６】
【発明が解決しようとする課題】
この発明は上記した点に鑑みてなされたものであって、その目的とするところは、温度変化により部材が変形することのない異種材料部材の締着構造を提供することにある。
【０００７】
【課題を解決するための手段】
この発明の異種材料部材の締着構造は、異種材料部材を複数箇所で締着する締着構造において、締着面の一方の部材に突起を設け他方の部材に凹みを設け前記突起と凹みを嵌合させるものである。
【０００８】
また、この発明の異種材料部材の締着構造は、異種材料部材を複数箇所で締着する締着構造において、締着面に摩擦係数の大きいシートを挟み込むものである。
【０００９】
また、前記異種材料部材の締着構造において、前記シートに両面テープが張り付けられているものである。
【００１０】
【発明の実施の形態】
この発明の実施例である樹脂部材と金属板との締着構造を図面に基づいて説明する。図１はこの発明の第１の実施例である樹脂部材と金属板との締着構造を示す断面図である。図に示すように、樹脂部品２の穴２ａを挿通したねじ３が金属板１にねじ込まれて樹脂部品２が金属板１に締着されている。なお、樹脂部品２は複数のねじにより金属板１に締着されるが、図１では１箇所の締着部分のみ示している。
【００１１】
金属板１はプレス加工により突起１ａ、１ａが設けられており、突起１ａ、１ａは樹脂部品２に設けられた凹みと嵌合している。この嵌合部はねじ３の頭部の下側Ａの範囲に設けられている。このため、突起１ａ、１ａは樹脂部品２の凹みと強く嵌合してずれることがない。このように金属板１と樹脂部品２の締着部分がずれないので、従来例のように、温度変化により樹脂部品２が大きく変形することがない。なお、突起１ａは１箇所の締着部に１個または３個以上設けてもよい。
【００１２】
図２はこの発明の第２の実施例である樹脂部材と金属板との締着構造を示す断面図である。図に示すように、樹脂部品２の穴２ａを挿通したねじ３が金属板１にねじ込まれ樹脂部品２が金属板１に締着されている。なお、樹脂部品２は複数のねじにより金属板１に締着されるが図１では１箇所の締着部分のみ示している。
【００１３】
樹脂部品２と金属板１との締着部には両面テープ付き不織布４が挟まれており両面テープは樹脂部品２および金属板１に張り付いている。このため、樹脂部品２と金属板１との締着部がずれることがなく、第１の実施例と同様の効果を奏する。この例では樹脂部品２および金属板１の加工が簡単である。なお、両面テープ付き不織布４の代わりに摩擦係数の大きいシートを用いてもよい。
【００１４】
【発明の効果】
この発明の異種材料部材の締着構造によれば、温度変化により部材が大きく変形することを防止できる。
【図面の簡単な説明】
【図１】この発明の第１の実施例である樹脂部材と金属板との締着構造を示す断面図である。
【図２】この発明の第２の実施例である樹脂部材と金属板との締着構造を示す断面図である。
【図３】従来の樹脂部材と金属板との締着構造の例を示す断面図である。
【符号の説明】
１　金属板、１ａ　突起
２　樹脂部品、２ａ　穴
３　ねじ
４　両面テープ付き不織布
【図１】
2004044624.tif 000003
【図２】
2004044624.tif 000004
【図３】
2004044624.tif 000005
(57)【要約】　　　（修正有）【課題】従来のプレキャスト門型カルバートは最大内幅５ｍ程度で道路用アンダーとしては使用できない。そこで３分割または５分割の大型カルバートを提供する。【解決手段】上部部材１と両側部材２と下端フーチング部３からなり、両側部材２の上方部で継手４によって接触してある大型分割式カルバートで、上部部材１は少なくともその両端部がプレキャスト製であり、両側部材２はプレキャスト製であり、下部フーチング部３はプレキャスト製乃至その両端部が現場打ちコンクリートからなる大型分割式カルバート。【選択図】　　　　図１
2004044300.tif 000002
【特許請求の範囲】
【請求項１】
上部部材と両側部材と下端フーチング部からなり、それぞれプレキャスト製であり、両側部材の上方部で継手によって接続してあることを特徴とする大型分割式カルバート。
【請求項２】
上部部材と両側部材と下端のフーチング部からなり、それぞれプレキャスト製であり、前記フーチング部の端部は現場打ちコンクリートが打継いであり、両側部材の上方部で継手によって接続してあることを特徴とする大型分割式カルバート。
【請求項３】
上部部材と両側部材と下端のフーチング部からなり、上部部材と両側部材はそれぞれプレキャスト製であり、下端のフーチング部は現場打ちコンクリートであり、両側部材の上方部で継手によって接続してあることを特徴とする大型分割式カルバート。
【請求項４】
上部部材と両側部材と下端のフーチング部からなり、上部部材は両端のプレキャスト部と中間の現場打ちコンクリート部とからなり、フーチング部はプレキャスト部と現場打ちコンクリート部とからなることを特徴とする大型分割式カルバート。
【発明の詳細な説明】
【０００１】
【発明の属する技術分野】
この発明はアンダーパス拡幅工事に際して使用される主としてプレキャスト製の大型分割式カルバートに関するものである。
【０００２】
【従来の技術】
従来のボックスカルバートでは小型でその用途が限定される。
【０００３】
そこで上下に分割して輸送し、現場で組立ることにより、大型化を計る工夫が、例えば特開平１０−２１２７５０号公報に提案されている。
【０００４】
【発明が解決しようとする課題】
従来のプレキャスト門型カルバートは最大内幅５ｍ程度で道路用アンダーとしては使用できない。そこで３分割あるいは５分割としてより大型化を可能ならしめるものである。
【０００５】
【課題を解決するための手段】
この発明は大型分割式カルバートであり、上部部材と両側部材と下端フーチング部からなり、それぞれプレキャスト製であり、両側部材の上方部で継手によって接続してある。
【０００６】
また上部部材と、両側部材と下端のフーチング部からなり、それぞれプレキャスト製であり、前記フーチング部の端部は現場打ちコンクリートが打継いであり、両側部材の上方部で継手によって接続してある。
【０００７】
また上部部材と両側部材と下端のフーチング部からなり、上部部材と両側部材はそれぞれプレキャスト製であり、下端のフーチング部は現場打ちコンクリートであり、両側部材の上方部で継手によって接続してある。
【０００８】
また上部部材と両側部材と下端のフーチング部からなり、上部部材は両端のプレキャスト部と中間の現場打ちコンクリート部とからなり、フーチング部はプレキャスト部と現場打ちコンクリート部とからなる。
【０００９】
【発明の実施の形態】
以下この発明を図示した実施例によって説明する。
実施例１．
この大型分割式カルバートは図−１、図−２に示す通り、上部部材１と両側部材２，２と下端のフーチング部３からなり、それぞれプレキャスト製であり、その連続部は一体構造である。また両側部材２，２はその上部において、凹凸あるいは段違い状の継手４によって接続してある。
なお上部部材１は下面が緩いアーチ状をなし、両側部材２，２の上部とともに全体として、逆溝状をなしている。
【００１０】
実施例２．
図−３に示す通り、上部部材１と両側部材２，２と下端のフーチング部３からなり、それぞれプレキャスト製であり、前記フーチング部の端部は鉄筋継手５が突設してあり、現場打ちコンクリート６が打継いである。また先の実施例と同様に両側部材２，２の上方で継手４によって接続してある。
【００１１】
実施例３．
図４に示すように、上部部材１と両側部材２，２と下端のフーチング部３からなり、上部部材１と両側部材２，２はそれぞれプレキャスト製であり、フーチング部３は現場打ちコンクリート６製であり、必要により、その下方に基礎杭７が埋設してある。
【００１２】
実施例４．
図−５に示すように上部部材１と両側部材２，２と下端のフーチング部３からなり、上部部材１の中間部およびフーチング３の半分は現場打ちコンクリート６製であり、打継ぎ部には鉄筋継手５が埋設されている。
【００１３】
【発明の効果】
この発明は以上の構成からなり、上部部材、両側部材に加えて一部現場打ちコンクリートを併用することによって３分割または５分割の大型門型カルバートを提供でき、全部または大部分をプレキャスト部材として現場への搬入、組立を容易としてあり、アンダーパス拡幅工事に際して交通を遮断しないで迅速に施工できる。またカルバート内に水路を設けることも容易であり、その他短い橋梁に応用できる。
【図面の簡単な説明】
【図１】この発明の第１実施例の正面図である。
【図２】この発明の第１実施例の断面図である。
【図３】この発明の第２実施例の正面図である。
【図４】この発明の第２実施例の断面図である。
【図５】この発明の第３実施例の正面図である。
【図６】この発明の第４実施例の正面図である。
【符号の説明】
１…上部部材、２…側部材、３…フーチング部、４…継手、５…鉄筋の継手、６…現場コンクリート、７…基礎杭
【図１】
2004044300.tif 000003
【図２】
2004044300.tif 000004
【図３】
2004044300.tif 000005
【図４】
2004044300.tif 000006
【図５】
2004044300.tif 000007
【図６】
2004044300.tif 000008
(57)【要約】【課題】一度か二度の往復動作でレール溝の全てのゴミを一括して確実に、しかも簡単に清掃できるようにすることにある。【解決手段】建物の開口部に設けられるサッシ枠１に於いて、段差をもって平行に配列された複数のレール溝２を清掃するブラシであって、把持部分となるベース板７の一方面に植設されるブラシ毛８の毛脚を、複数のレール溝２の幅方向に沿った階段状に対応して、ベース板７の先端から基端にかけて段差を形成して切り揃え、刈り込んだことを特徴とし、ブラシ毛８は先端方向に斜めに突出植設する。【選択図】　　　　図１
2004044282.tif 000002
【特許請求の範囲】
【請求項１】
建物の開口部に設けられるサッシ枠（１）に於いて、段差をもって平行に配列された複数のレール溝（２）を清掃するブラシであって、把持部分となるベース板（７）の一方面に植設されるブラシ毛（８）の毛脚を、前記複数のレール溝（２）の幅方向に沿った階段状に対応して、ベース板（７）の先端から基端にかけて段差を形成して切り揃え、刈り込んだことを特徴とする清掃用ブラシ。
【請求項２】
ブラシ毛（８）を先端方向に斜めに突出植設したことを特徴とする請求項１に記載の清掃用ブラシ。
【発明の詳細な説明】
【０００１】
【発明の属する技術分野】
本発明は、建物の開口部に設けられるサッシ枠のレール溝を清掃するブラシに関するものである。
【０００２】
【従来の技術】
窓や出入口等の建物の開口部に設けられるアルミニウム製の押出し型成形によるサッシ枠は、外部からの風雨の浸入を確実に防いで気密性を維持することができる点で、現代の建造物に欠かせないものになっている。
【０００３】
このサッシ枠は、殆どの場合、一組みの引き違い戸と一枚の網戸とが嵌め込まれている構造であって、下枠には夫々用に少なくとも三本のレール溝が設けられている。このレール溝は、垂直姿勢のレールプレートの両側に平坦面が形成されているのが基本的な構成であり、この一組みが三列に平行に配置されているのである。
【０００４】
【発明が解決しようとする課題】
処でサッシ枠は上述したように気密性を確保して、外部からの特に土埃りの浸入を確実に防ぐことができるのであるが、このレール溝部分にこの土埃りが溜まってしまい、この部分の清掃は、垂直姿勢のレールプレートの両側を夫々ブラシで行っていたので極めて手間がかかっていた。
【０００５】
特に各レール溝は、先ず室内側に室内側引き違い戸用のレール溝が最上位で設けられ、次いで室外側引き違い戸用のレール溝、そして室外側に網戸用のレール溝が最下位として設けられるといった、幅方向に階段状に配列された構成であるため、掃除の手間は倍加以上していたのである。
【０００６】
よって本発明は、この従来の不満点を解消し要求に応えるべく発明された清掃用ブラシであって、一度か二度の往復動作でレール溝の全てのゴミを一括して確実に、しかも簡単に清掃できるようにすることを目的とする。
【０００７】
【課題を解決するための手段】
上述した従来の課題を解決する本発明は、建物の開口部に設けられるサッシ枠に於いて、段差をもって平行に配列された複数のレール溝を清掃するブラシであって、把持部分となるベース板の一方面に植設されるブラシ毛の毛脚を、前記複数のレール溝の幅方向に沿った階段状に対応して、ベース板の先端から基端にかけて段差を形成して切り揃え、刈り込んだことを特徴とする構成である。
【０００８】
この場合、ブラシ毛を先端方向に斜めに突出植設する。
【０００９】
【発明の実施の形態】
以下、本発明の実施の形態を説明すると、先ず、建物の窓や出入口等の開口部に設けられるアルミニウム製の押出し型成形によるサッシ枠１にあって、その下枠には内側から外側に下降する段差が形成され、各段差の上面に夫々レール溝２が平行に設けられている。このレール溝２は、段差の上面である平面部３に垂直姿勢のレールプレート４を立設したもので、このレールプレート４は、引き違い戸や網戸の下端面に設けられた溝に嵌入し、或いは同じく下端面に設けられた滑車が乗載動転できるようにしたものである。
【００１０】
次に本発明にかかる清掃用ブラシ５は、把手６を一体設したベース板７の裏面にブラシ毛８を先端方向に斜めに突出する形態で植設したものであるが、このブラシ毛８はその毛脚を、前記した複数のレール溝２の幅方向に沿った階段状に対応して、ベース板７の先端から基端にかけて段差を形成して刈り込んだ構成である。即ちブラシ毛８は、各段差ごとにブラシ８群を形成している。
【００１１】
そして、先端方向に斜めに突出する形態の各ブラシ毛８群にあっての毛脚長さは、先端が比較的短く、基端に向かって徐々に長いものになっており、このブラシ毛８群が図１、２、３の場合には四段に形成され、各ブラシ毛８群の毛脚先端は切り揃えられている。
【００１２】
そこで図１、２の如く、複数のレール溝２の幅方向に沿った階段状に対応してベース板７を先端を下方にした傾斜姿勢にし、ブラシ毛８をレール溝２に当てがうと、最先端のブラシ毛８群の切り揃えられた先端が最下位のレール溝２の平面部３に、或いは最基端のブラシ毛８群の先端が最上位のレール溝２の平面部３に、の如くして四段の各ブラシ毛８群の毛脚先端が平面部３に当接し、且つ各レールプレート４の両面に各ブラシ毛８が当接し、この状態でレール溝２に沿って移動させることにより、清掃が達成されるのである。
【００１３】
また、図４、５、６に実施例は三段のブラシ毛８群の場合を示すものであり、ベース板７の基端には削りヘラ９が付設されている。尚、各実施例にあって、把手６には引掛け穴１０が設けられ、所定位置のフック等に引掛けておいて使用の際に発見し易く、或いは洗浄した場合に乾燥し易くしている。
【００１４】
【発明の効果】
以上説明したように本発明の清掃用ブラシによれば、段差のある複数のレール溝を一度か二度の操作で極めて簡単且つ確実に清掃することができる等、多くの優れた作用効果を奏する。
【図面の簡単な説明】
【図１】本発明のブラシの側面図である。
【図２】本発明のブラシをサッシ枠のレール溝に当てがった状態の側面図である。
【図３】図１、２のブラシの斜視図である。
【図４】他の実施例を示す側面図である。
【図５】図４のブラシをサッシ枠のレール溝に当てがった状態の側面図である。
【図６】図４、５のブラシの斜視図である。
【符号の説明】
１；サッシ枠、２；レール溝、３；平面部、４；レールプレート、５；清掃用ブラシ、６；把手、７；ベース板、８；ブラシ毛、９；削りヘラ、１０；引掛け穴。
【図１】
2004044282.tif 000003
【図２】
2004044282.tif 000004
【図３】
2004044282.tif 000005
【図４】
2004044282.tif 000006
【図５】
2004044282.tif 000007
【図６】
2004044282.tif 000008
(57)【要約】　　　（修正有）【課題】太陽光エネルギーが効果的に得られる時は、自動的に作動し、熱エネルギー（暖房熱）を回収し、また、効果的に得られない時は自動的に運転を停止し、ファン動力の無駄使いを避ける事が出来る運用システムの提供。【解決手段】ソーラーコジェネレーションシステムおよびソーラーホットエアシステムに組み込まれる太陽照度追従型の自動運用システムであり、ソーラーコジェネモジュールまたはソーラーホットエアモジュールに設置された温度センサーにて太陽照度を温度変化として捕らえ、設定温度以上で作動する自動温度調整器と、通風機電源系統を組み合わせ、太陽照度がエネルギー回収に有効な場合、システムが作動を開始し、太陽照度が不十分な時、運転を停止するシステムである。これにより、人が関与する事なく、自動的に、常時、有効に太陽エネルギーの回収が出来る。【選択図】図１
2004045000.tif 000002
【特許請求の範囲】
【請求項１】
太陽光エネルギーを利用したいわゆるソーラーコジェネレーションシステム（太陽光熱電併給方式）およびソーラーホットエアシステムは、筆者が、既に特開平１１−２５７７６１および特願２００１−０５９６５５等で出願済みであるが、上記各システムで太陽エネルギーの照度が十分利用できない夜間または雨天日等において、自動的にシステムの運用を停止し、照度が充分になった後、自動的に運用を開始する以下の特長を有する方式を特許請求するものである。
１）本装置は、太陽光コジェネレーションシステム又は、太陽熱ホットエアシステムに、組み込まれる装置である。
２）本装置は、基本的にソーラーコジェネシステムまたはソーラーホットエアシステムにおけるモジュールのパネル表面上または、２重ガラスの空気層の部所に太陽エネルギーの照度を正確に感知できる温度検出センサーを設置し、その設定温度以上で通電する働きを持った自動温度調整器を設置している。
３）自動温度調整器は、通風機の電力系統と連動し、自動温度調整器のオン・オフに連動して、通風機のオンオフが制御されている。
４）一方、この自動温度調整器に対し、通風機の電力系統はバイパス系統も有し、独立したバイパススイッチにより、自動温度調整器と独立に制御することもできる。
【発明の詳細な説明】
【０００１】
「発明の属する技術分野」
本発明は、ソーラーコジェネシステムおよびソーラーホットエアシステムの自動運用に関するものである。
【０００２】
「従来の技術」
従来、太陽熱利用技術として、温風を利用するソーラーコジェネまたはソーラーホットエアシステム等があるが、いずれも太陽照度を判断しながら、自動運用を行うシステムはない。
【０００３】
「発明が解決しようとする課題」
上記、ソーラーコジェネシステムまたはソーラーホットエアシステムでは、通風機の運用は、完全にマニュアルで行うか２４時間タイマーをセットして、毎日（天候に係わらず）同一時刻でのオンオフを行うかその組み合わせにするかのいずれかで、マニュアルの場合毎日の操作・判断が煩雑であり、途中で天候が変わる事は、常時ありうる。またタイマーセットの場合も、雨天等には運用が無駄になる。
【０００４】
「課題を解決するための手段」
太陽照度を感知する温度センサーを受熱パネル部に設置し、予め設定された温度以上で通電を開始する自動温度調整器を、通風機電力系統に組み込むことで、太陽照度に応じ、自動的に通風機のオンオフが達成される。
【０００５】
「発明の実施の形態」
以下、本発明の実施の形態について図面に基ずいて具体的に説明する。図１は本発明のシステム概念図である。各符号の説明については、（０００８）を参照方。
【０００６】
１ソーラーホットエアモジュールの一端に設置されている２入り口空気ヘッダーの各両端より、外気が吸引され、ヘッダーの長手方向に多数設けられた空気ノズル孔より、モジュール内に吹き込まれ、モジュール内に設置された受熱パネルの上下をサンドイッチ状に挟みながら３出口空気ヘッダーの多数の吸引ノズル孔より３出口空気ヘッダーに集められ、さらに４共通ヘッダーを経て、５ホットエアダクトを通り、６通風機に導かれ、７消音ダクトを経て、８ホットエア吹き込み口より、室内に導入される。１０パネル温度センサーは、受熱パネル上または、上面に設置された透明二重ガラスの空気層内に、全体が、太陽光を受けるように、固定されている。１１自動温度調整器は、１０パネル温度センサーの導管の届く範囲の１ソーラーホットエアモジュールの外面に、設置され、室内に設置される９システム操作盤とケーブルで連絡されている。
上記のシステムが正常に設定され、スタンバイ状態にある時、太陽照度の上昇により次の様な反応が起こる。太陽が日の出と共に刻一刻高度上げて行く時、受熱パネル上に設置された１０温度センサーの温度も刻一刻上昇して行き、予め設定された１１自動温度調整器の設定温度に達すると通電し、６通風機の電源系統がオンとなり、６通風機が回転し、外気を、１ソーラーホットエアモジュール内に、吸引し始め、受熱面に捕らえられた太陽エネルギーを、ホットエアの形で、出力として取り出し始め、運転開始となる。送風開始時の１１自動温度調整器のチャッタリングを避ける為、１０温度センサーは、１ソーラーホットモジュールの出口側に置く必要がある。夕刻、太陽の高度が下がるにつれ、１０温度センサーの検出温度も低下して行き、設定温度以下で、自動的に６通風機の電源が切れ、システムは停止する。夜間、または雨天の日は、日照度が低く、自動的にスイッチは入らない。
暖房の不要な夏場では、系統全体をマニュアルで停止して置くことは可能となっている。また、夏場の夜間には、マニュアル運転で室内より数度低い外気を積極的に室内へ導入することで、ある程度の涼を得る運用が出来る。
【０００７】
「発明の効果」
上記の如く、本システムでは、太陽光エネルギーが効果的に得られる時は、自動的に作動し、熱エネルギー（暖房熱）を回収し、また、効果的に得られない時は自動的に運転を停止し、ファン動力の無駄使いを避ける事が出来る。また人が毎日オンオフする手間が省略でき、利便性が高い。
【０００８】
【図面の簡単な説明】
【図１】ソーラーホットエアシステム系統図を示します。
【符号の説明】
１　　　　ソーラーホットエアモジュール
２　　　　入り口空気ヘッダー
３　　　　出口空気ヘッダー
４　　　　共通ヘッダー
５　　　　ホットエアダクト
６　　　　通風機
７　　　　消音ダクト
８　　　　ホットエア吹き込み口
９　　　　システム操作盤
１０　　　温度センサー
１１　　　自動温度調整器
【図１】
2004045000.tif 000003
(57)【要約】【目的】従来の雪冷蔵、冷房システムは、積雪地域に限定され新設するか既存冷蔵庫を改良する必要があり、イニシャルコストが莫大であったので普及しにくかった。しかし、いつでも、どこでも、だれでも利用でき、無限エネルギーの雪を手軽に年間通して利用し、その補充量も少なくするとともに、その装置を安価・簡素にすることを目的としている。本設備は、移動式・簡易的であるため、輸送トラック１つで手軽に利用でき、目的を充足できる。【構成】雪貯蔵庫から雪を分けて各装置内の一部に、雪を入れるだけで冷蔵庫又は冷房装置として使用できる。又空気浄化装置、温暖化防止装置としても使用できる。【効果】本設備は自然対流設備および低電力装置を駆使し、抑制栽培や食物・医療薬等の保存を必要とする多くの分野で安価利用でき、汎用性も高い。したがって、コスト削減及び環境保全に絶大な効果を期待できる。また、　これを活用すれば東京及び大都会のヒートアイランド現象を防ぐ事ができる。【選択図】図１
2004044999.tif 000002
【特許請求の範囲】
【請求項１】
雪を集積し、冷蔵庫、貯蔵庫、野積貯蔵、等に保管し、それを必要に応じた量に、分けて各事業ごとに使う事業。事業は、冷房装置、冷蔵貯蔵装置、空気浄化装置、温暖化防止装置。
【請求項２】
請求項１の事業のために目的地まで、運搬する事業。且つ、特に私の簡易構造装置に運搬する。
【請求項３】
請求項１で集積の方法（雪に含む水分量の多い、少ない）で、マイナスイオンの出る量と、使う目的が異なる方法。
【請求項４】
請求項１の分けた量の雪でも二酸化炭素、及び空気中のガスと、ゴミや塵を獲ることが出来る。
【請求項５】
請求項１を自然対流、強制対流、自動車の走行風力による空気の動きで、使用すること。
【請求項６】
請求項１のようにすることにより、老人、子供、病人や、自然の冷気（マイナスイオン）を望む人は、もちろんのこと、室内や、家庭、業務冷蔵庫（雪冷蔵庫用に改良）に使用すること。
【請求項７】
雪貯蔵庫は、どこにでも（道路、公園、団地、宅地、空き地、建物の中外、等）作って、雪の特性を生かして使うこと。そして、ここからも請求項１のように利用すること。
【請求項８】
雪貯蔵庫から、分けて荷物運搬自動車に、分けた雪を入れ、ものを冷蔵貯蔵しながら運ぶこと。
荷物運搬自動車の荷台部分を、切り放し、そのまま目的地で、冷蔵庫として利用する。
【発明の詳細な説明】
【０００１】
【産業上の利用分野】近い将来足りなくなるエネルギーに雪を使うことは、雪国だけにとどまらずいつでもどこでも冷蔵、冷房エネルギーとして手軽に利用できる。そして、世の中に最も必要な食料を新鮮なまま長期保存できる。よって、簡易冷蔵庫を食物保冷の為に役立たせたい。
【０００２】１年中利用できる為、市街地・山岳地帯や田畑で既設電力を必要とせず利用できる。また、移動式簡易構造物である為どこにでも必要に応じて利用できる。
【０００３】
【従来の技術】雪国だけのものであったのに加え、既設の冷蔵庫又は新規の建設物に雪冷蔵及び雪冷房を設置建設してきたが、イニシャルコストが莫大であった。
【０００４】
【発明が解決しようとする課題】雪国特有のものであったが、それをだれでも、いつでも、どこでも利用できるものとし、安価・汎用性を高める。
【０００５】
【課題を解説するための手段】だれでも、いつでも、どこでも手軽に使用するためには、移動式・簡易構造物でランニングコストだけで済み、しかも新鮮なままで電気冷蔵より長期保存が可能で、従来量に比較し少ない量の雪を補充するだけで安全に利用できる。
【０００６】
冷房もどこでも利用でき自然冷気のため、底冷えすることなく二酸化炭素・アンモニアおよび臭気を吸収するので病院、老人ホームに最適といえる。
【０００７】
【作　用】無限なエネルギーであり環境にやさしく安全で、食料の保存期間を電気冷蔵と比較し約３倍から１０倍程度長持ちさせることができる。
【０００８】
【実施例】青森県弘前市内の割烹で可動中で八月中にテレビ放送予定。
【０００９】
【発明の効果】雪貯蔵庫から分けて使うので、いつでもどこでも手軽に、使うことができる。
【００１０】
【図面の簡単な説明】
【図１】図は、雪貯蔵庫から、分けた雪を運ぶ標準的な運搬経路を、表わした図である。
【図１】
2004044999.tif 000003
(57)【要約】【課題】振動で緩みやすいナットを緩みにくくした、反転ナットを提供する。【解決手段】外側ナット内周面ネジ山（２）は、内側ナット内周面ネジ山（３）と締める回転方向を逆に設け、内側ナット（５）の外周面に外側ナット内周面ネジ山（２）が結合できるように、ネジ山を設けたことを特徴とする。【選択図】　図１
2004044768.tif 000002
【特許請求の範囲】
【請求項１】
外側ナット内周面ネジ山（２）は、内側ナット内周面ネジ山（３）と締める回転方向を逆に設け、内側ナット（５）の外周面に外側ナット内周面ネジ山（２）が結合できるように、ネジ山を設けた反転ナット。
【発明の詳細な説明】
【０００１】
【発明の属する技術分野】
この発明は、振動等で緩みにくくする、反転ナットに関するものである。
【０００２】
【従来の技術】
従来のナットは、単体で内周面だけのネジだった。
【０００３】
【発明が解決しようとする課題】
これは次のような欠点があった。
従来のナットは、振動等で緩みやすかった。
本発明は、以上のような欠点をなくすためになされたものである。
【０００４】
【課題を解決するための手段】
外側ナット内周面ネジ山（２）は、内側ナット内周面ネジ山（３）と締める回転方向を逆に設け、内側ナット（５）の外周面に外側ナット内周面ネジ山（２）が結合できるように、ネジ山を設ける。
本発明は、以上の構成よりなる反転ナットである。
【０００５】
【発明の実施の形態】
以下、本発明の実施の形態について説明する。
イ　内側ナット内周面ネジ山（３）と、外側ナット内周面ネジ山（２）の、締まる回転方向を逆に設ける。
ロ　内側ナット（５）の外周面に、外側ナット内周面ネジ山と（２）と結合できるように、ネジ山を設ける。
本発明は、以上の構成よりなっている。
本発明を使用するときは、ボルトに内側ナット（５）を取り付け、さらに内側ナット外周面ネジ山（１）に、外側ナット（４）を取り付け締める。
【０００６】
【発明の効果】
ナット本体と外側ナットが、締め付ける面に密着し、緩む回転方向が逆なので、振動で緩みにくい。
【図面の簡単な説明】
【図１】本発明の断面図である。
【図２】本発明の分解斜視図である。
【符号の説明】
１　内側ナット外周面ネジ山
２　外側ナット内周面ネジ山
３　内側ナット内周面ネジ山
４　外側ナット
５　内側ナット
【図１】
2004044768.tif 000003
【図２】
2004044768.tif 000004
(57)【要約】【目的】物質の給入、排出の速度向上を図る。【構成】給入口、排出口に凹凸部が付属したもの。【選択図】　　　図１
2004044769.tif 000002
【特許請求の範囲】
【請求項１】
凸部または凹部、または凹凸部を有する給入口、排出口、若しくは、それらを有する給入口、排出口の付属物
【発明の詳細な説明】
【０００１】
【産業上の利用分野】
本発明は、液体、気体、粒状物質、粘性物質を給排出するときの給入口、排出口に関するものである。
【０００２】
【従来の技術】
従来は凹凸部を有する給入口、排出口はなかった。
【０００３】
【発明が解決しようとする課題】
同じ径の給入口、排出口で、従来のものより給入、排出速度の向上を図る。
【０００４】
【課題を解決するための手段】
給入口、排出口の内部に凸部または凹部、または凹凸部を、連続または不連続状で螺旋状に有するようにする。
【０００５】
【作用】
給入口、排出口の内部に凸部または凹部、または凹凸部を、連続または不連続状で螺旋状に有するようにすると、給排出される物質はそれらに沿って渦状に回転するように給排出される。
回転しながら給排出される物質は自然の摂理によりその速度は速くなる。
【０００６】
【実施例】
以下、本発明の実施例について説明する。
（ア）図１のように給入口、排出口の内部に螺旋状の凹部を有するもの。
（イ）図２のように給入口、排出口の内部に螺旋状の凸部を有するもの。
（ウ）図３のように給入口、排出口の内部に螺旋状の凹凸部を有するもの。
（エ）図４のように給入口、排出口の内部に螺旋状の凹凸部を有するもの。
（オ）図５は、本発明を既存の給入口、排出口に取り付けた実施態様図。
（カ）図６は、本発明を既存の給入口、排出口に取り付けた実施態様図。
【０００７】
【発明の効果】
本発明を風呂桶、洗面台、流司台、プール、掃除機、空間換気等の排出口、給入口、またはエンジンルーム等への給、排出口に取り付ければ、凹凸部のない在来のそれらよりも給入、排出の速度の向上が計られる。
【図面の簡単な説明】
【図１】本発明の給入口、排出口の断面図。
【図２】本発明の給入口、排出口の断面図。
【図３】本発明の給入口、排出口の断面図。
【図４】本発明の給入口、排出口の断面図。
【図５】本発明を凹凸部のない既存の給入口、排出口に取り付けた断面図。
【図６】本発明を凹凸部のない既存の給入口、排出口に取り付けた断面図。
【図７】本発明の斜視図。
【図８】本発明を既存の給入口、排出口に取り付ける実施態様の斜視図。
【図９】給入口、排出口をねじって内部に螺旋状を現出させ、本発明と同等の効果を
得る給入口、排出口の実施態様の斜視図。
【符号の説明】
１　　　給入口、排出口の本体
２　　　凹部
３　　　凸部
４　　　給入口、排出口のふた
５　　　既存の給入口、排出口
６　　　風呂桶の下の排水底
７　　　既存の給入口、排出口に引っ掛けるための取っ手
【図１】
2004044769.tif 000003
【図２】
2004044769.tif 000004
【図３】
2004044769.tif 000005
【図４】
2004044769.tif 000006
【図５】
2004044769.tif 000007
【図６】
2004044769.tif 000008
【図７】
2004044769.tif 000009
【図８】
2004044769.tif 000010
【図９】
2004044769.tif 000011
(57)【要約】【課題】マスク塗装における、大サイズ　マスクと外枠とのセッティング位置調整を本発明の継ぎ手により、容易に・短時間に可能にする。【解決手段】外枠に大サイズ　マスクを固定する脚棒を水平・垂直全方向に微調整できる首振りと長手方向にスライドが可能な継ぎ手にする。【選択図】　　図４
2004044765.tif 000002
【特許請求の範囲】
【請求項１】
保持ブロック（１）と保持ブロック（２）で球体（５）を接合した脚棒（３）並びに球体（６）を接合した脚棒（４）を挟装し、固定ネジ（７）で螺合固定した首振りと長手スライドが可能な継ぎ手。
【請求項２】
保持ブロック（１）の一端は、脚棒（３）の逃げを付けた底部に逃げ穴のある半球ザグリ（８）とし、他端は端部が解放の長穴ミゾ（９）として、当該半球ザグリ部と長穴ミゾの中間に固定ネジ（６）を螺合させるための雌ネジ（１０）を設けた請求項１の首振りと長手スライドが可能な継ぎ手。
【請求項３】
保持ブロック（２）の一端は、脚棒（５）の逃げを付けた底部に逃げ穴のある半球ザグリ（８）とし、他端は端部が解放の長穴ミゾ（９）として、当該半球ザグリ部と長穴ミゾの中間に固定ネジ（７）が貫通する長穴（１１）を設けた請求項１の首振りと長手スライドが可能な継ぎ手。
【発明の詳細な説明】
【０００１】
【発明の属する分野】
本発明は、マスク塗装において、被塗装物に密着させて覆う大サイズ　マスクを保持するための脚棒を固定枠に取り付けるための微調整可能な継ぎ手に関する。
【０００２】
【従来の技術】
従来は、被塗装物に密着させて覆う大サイズ　マスクを保持するための位置固定脚棒を直接に固定枠に鑞付け又は溶接あるいは固定枠側の脚棒に鑞付け又は溶接で固定枠に取り付けている。
【０００３】
【発明が解決しようとする課題】
従来の大サイズマスクの保持方式では、被塗装物の形状のバラツキ・固定枠や脚棒の変形により、被塗装物と大サイズマスク間にズレ・隙間が生じ、これに気付かずマスク塗装作業をした場合、不良品が発生してしまう。正常位置に復帰させるとき、固定枠の位置修正のために脚棒を再鑞付けあるいは再溶接しなければならず、労苦と無視できない時間を費やさざるを得ない問題点があった。
【０００４】
本発明は、大サイズ　マスクと被塗装物とに位置ズレが生じても容易に、且つ短時間に修正することができる首振りと長手スライドが可能な継ぎ手を提供することを目的としている。
【０００５】
【課題を解決するための手段】
上記の目的を達成するために、本発明の首振りと長手スライドが可能な継ぎ手においては、従来の一体形な脚棒にあってはその脚棒を二分割し、二分割した脚棒にあっては、分割した各脚棒の端部に球体を溶接し、半球サグリと長穴ミゾを付けた保持ブロック２個で当該両球体付きの両脚棒を挟装し、固定ネジで螺合固定するものとしてある。
【０００６】
当該保持ブロックの１個は、半球ザグリと長穴溝の中間に固定ネジが螺合する雌ネジを設け、残る１個は、半球ザグリと長穴溝の中間に固定ネジが貫通する長穴を設けたものとし、両者を向き違い・向かい合わせに配置して、球体付きの両脚棒を挟んで固定ネジで螺合固定する。
【０００７】
このとき、一方の保持ブロックの螺合固定用穴が長穴であるために、固定ネジを弛緩させて微調整すれば、球体付きの脚棒は、長手方向にスライドできる、しかも脚棒の端部が球状であるために球を中心にテーパー角度にして４０度以内の範囲で自在に首振りができる。この首振り機能は、ターンバックルのような雌雄ネジの螺合による弛緩ではでき得ない優れた機能である。
【０００８】
又、本発明は保持ブロックの長手サイズと端部の長穴ミゾを長くすることにより、両脚棒の長手方向スライドの微調整はもとより、更に長手方向スライド量を大きくすることができる。
【０００９】
【発明の実施の形態】
本発明の実施形態・実施例について図面を参照して説明する。図１は、本発明を組み込んだマスク塗装の被塗装物とマスクをセットしたジグ一式の全体斜視図であり、図２は両脚棒セットの装着状態を示す側面図である。
【００１０】
図３は、本発明の分解イラストレーションである。保持ブロック（１）と保持ブロック（２）は、その一方が雌ネジ他方が長穴と異なるが半球部と長穴ミゾ部は同一形状であり、本発明の製造時の原価低減を考慮してある状態を示している。
【００１１】
図４は、本発明の長手方向スライド状態と調整範囲並びに両端の脚棒の首振り範囲を示す上面図、断面図及び端面図である。図４のａにおいて固定ネジ（７）を緩めて球体（５）を接合した脚棒（３）を右にスライド及び首振りさせ、必要があれば図４のｂに示すように脚棒（３）あるいは球体（６）を接合した脚棒（４）を必要な角度に首振りさせて最適な調整位置で固定ネジ（７）を締めればよい。
【００１２】
この図４の上面図では水平方向の首振りを示し、図４のｂ断面図では天地方向の首振りを示し、更に水平方向と垂直方向の中間位置の首振りが可能、すなわち全方向の首振りが可能である。
【００１３】
【発明の効果】
本発明は、以上説明したような形状と機能を持つために、以下に記載される効果を奏する。
【００１４】
１．保持ブロック（１）と保持ブロック（２）を螺合固定している固定ネジ（７）を緩めることで脚棒（３）、（４）を長手方向に容易にしかも短時間にスライドさせることができる。
２．脚棒（３）、（４）は、球体（５）、（６）が当該脚棒の端部に接合してあるために、テーパー角度４０度以内の範囲で自在に首振りできる。
３．長手方向スライドあるいは首振り調整が済めば、固定ネジ（７）を締めることで容易に所要の位置決め・調整ができる。
４．保持ブロック（１）と保持ブロック（２）の長手方向サイズを大きいものにすることで、更に長手方向のスライドを可能にし調整範囲を広げることができ、マスク塗装におけるジグ保持以外の用途にも使用できる。
【００１５】
本発明を採用することにより、大サイズ　マスクと外枠とのセッティング位置調整、すなわち水平・垂直全方向の微調整が、固定ネジ（７）の弛緩により、脚棒の長手方向のスライド及び脚棒の首振りをさせて簡単にしかも短時間にできる。したがって、従来のセッティング位置調整の労苦と工数を大幅に軽減することができる。
【図面の簡単な説明】
【図１】本発明を組み込んだマスク塗装の被塗装物とマスクをセットしたジグ一式の全体斜視図である。
【図２】脚棒の装着状態を示す側面図である。
【図３】本発明の分解イラストレーションである。
【図４】本発明の長手方向スライド状態と調整範囲並びに両端の脚棒の首振り角度範囲を示す上面図、断面図及び左右の端面図である。
【符号の説明】
１　保持ブロック
２　保持ブロック
３　脚棒
４　脚棒
５　球体
６　球体
７　固定ネジ
８　半球ザグリ
９　長穴ミゾ
１０　雌ネジ
１１　長穴
１２　大サイズ　マスク
１３　被塗装物
１４　脚棒セット
１５　枠
１６　首振り角度
１７　スライド量
【図１】
2004044765.tif 000003
【図２】
2004044765.tif 000004
【図３】
2004044765.tif 000005
【図４】
2004044765.tif 000006